(57)【要約】【課題】  本発明は、人の目視での光沢の感覚を精度高く数値化する評価方法、及び該評価方法を用いて、光沢感に優れる材料を識別するシステムを提供することにある。【解決手段】  本発明は、下記式で得られる算出値を光沢感覚値として指標する光沢感の評価方法を提供する。また、本発明は、正反射(限幅)光沢度と、全幅光沢度と、写像性値と、を測定する手段を少なくとも含む装置であって、下記式で得られる算出値を光沢感覚値として指標する光沢感の評価装置を提供する。また、本発明は、該評価方法又は該評価装置を使用することにより、光沢感に優れる対象を識別するシステムを提供する。  （光沢感覚値）＝[正反射(限幅)光沢度／基準光沢度]2×（写像性値／基準写像性値）【選択図】  図１
2005274340.tif 000002
【特許請求の範囲】
【請求項１】
下記式で得られる算出値を光沢感覚値として指標する光沢感の評価方法。
（光沢感覚値）＝[正反射(限幅)光沢度／基準光沢度]2×（写像性値／基準写像性値）
【請求項２】
前記正反射(限幅)光沢度は、光源に１２Ｖ５０Ｗのハロゲンランプ、フィルターにＮＤ−１０を用い、感度５００、煽り角度０度において、入射角４５度で幅１ｍｍのスリットから入射光を評価対象物に対して照射したときに、該評価対象物により反射されて幅１．５ｍｍのスリットから放出された反射光について、反射角４５度で標準鏡面板の光沢度が４２．５となるように光源に印加する電圧を調整したとき、反射角度４２度から４８度の範囲で、相対値として測定される反射光強度各値のうちの最高値である、請求項１記載の評価方法。
【請求項３】
前記写像性値は、光源に６Ｖ、０．３５Ａのスリットランプを使用し、フィルターなし、煽り角度０度において、入射角４５度で入射光を評価対象物に照射したときに、該評価対象物より反射角４５度で放出された光が移動する２ｍｍ幅の光学くしを通過した際の受光量のゆらぎを、下記式に導入して得られた値である、請求項１又は２記載の評価方法。
（写像性値(％)）＝（受光量の最大値−受光量の最小値）／（受光量の最大値＋受光量の最小値）×１００
【請求項４】
前記基準光沢度として、４２．５以上の数値を使用する、請求項１〜３の何れかに記載の評価方法。
【請求項５】
前記基準光沢度として、６０度の全幅光沢度の２分の１の値を使用する、請求項１〜３の何れかに記載の評価方法。
【請求項６】
前記基準写像性値として、５０以上の数値を使用する、請求項１〜５の何れかに記載の評価方法。
【請求項７】
評価対象物が顔料インクでインクジェット記録した記録画像である場合に、下記式で得られる算出値を光沢感覚値として指標する光沢感の評価方法。
（光沢感覚値）＝[正反射(限幅)光沢度／６０]2×（写像性値／６０）
【請求項８】
評価対象物が染料インクでインクジェット記録した記録画像であるか又は銀塩写真である場合に、下記式で得られる算出値を光沢感覚値として指標する光沢感の評価方法。
（光沢感覚値）＝[正反射(限幅)光沢度／３０]2×（写像性値／６０）
【請求項９】
正反射(限幅)光沢度と、全幅光沢度と、写像性値と、を測定する手段を少なくとも含む装置であって、下記式で得られる算出値を光沢感覚値として指標する光沢感の評価装置。
（光沢感覚値）＝[正反射(限幅)光沢度／基準光沢度]2×（写像性値／基準写像性値）
【請求項１０】
請求項１〜８の何れかに記載の評価方法又は請求項９記載の評価装置を使用することにより、光沢感に優れる対象を識別するシステム。
【発明の詳細な説明】
【技術分野】
【０００１】
本発明は、人の目視での光沢の感覚を精度高く数値化する評価方法、及び該評価方法を用いて、光沢感に優れる材料を識別するシステムに関する。
【背景技術】
【０００２】
従来から、インク組成物等により形成される記録画像、記録物等の写像性や光沢性を評価する技術が種々開発されている。しかし、写像性を評価する装置、光沢性を評価する装置というように装置のそれぞれは存在するが、各装置により得られるそれぞれの値を活用して、人間の目視による光沢感覚を精度高く数値化できるシステムは存在しない。
【０００３】
更に、記録画像等の材料の光沢性については、従来その評価方法が画一的ではなく、実際に人の目視による光沢性の評価と客観的な数値データとしての評価にズレが生じていた。
【発明の開示】
【発明が解決しようとする課題】
【０００４】
本発明が解決しようとする問題点は、前述した従来技術における問題点である。
従って、本発明の目的は、人の目視での光沢の感覚を精度高く数値化する評価方法、及び該評価方法を用いて、光沢感に優れる材料を識別するシステムを提供することにある。
【課題を解決するための手段】
【０００５】
本発明者は、鋭意研究した結果、少なくとも所定の光沢度と写像性値を用いて特定される光沢感覚値を指標とした記録画像等の材料の光沢感を評価する方法が、前記他の目的を達成し得ることの知見を得た。
【０００６】
本発明は、前記知見に基づきなされたもので、下記式で得られる算出値を光沢感覚値として指標する光沢感の評価方法を提供するものである。
【０００７】
（光沢感覚値）＝[正反射(限幅)光沢度／基準光沢度]2×（写像性値／基準写像性値）
【０００８】
本発明の評価方法によれば、評価対象物の種類に関わらずに人の目視での光沢の感覚を精度高く数値化できる。これにより、実際に人の目視による光沢感の評価と客観的な数値データとしての評価とのズレを解消できる。また、材料（評価対象物）ごとに、或いは求める光沢の質感ごとに、任意に目標とする光沢を設定することができる。さらに、材料開発の指標となるのみならず、製品の品質検査等に広く活用することができる。
【０００９】
本発明に係る評価方法に用いられる前記用語は、それぞれ下記に示す通りに定義される。
【００１０】
正反射(限幅)光沢度：規定された入射角で規定された開き角の光束を評価対象面に入射し、鏡面反射方向に反射する規定の開き角の光束を受光器で測定したときの、入射光に対する反射光の相対強度。
【００１１】
写像性値      ：対象となる塗装面等に物体が映ったときの像が、どの程度鮮明にひずみなく映し出されるかの尺度（ＪＩＳ  Ｈ８６８６やＪＩＳ  Ｋ７１０５等で規定されている値）。
基準光沢度    ：評価対象物の種類ごとに定める一定の数値。
基準写像性値  ：評価対象物の種類ごとに定める一定の数値。
【００１２】
また、本発明は、以下に示すそれぞれの発明を提供するものである。  
【００１３】
前記正反射(限幅)光沢度は、光源に１２Ｖ５０Ｗのハロゲンランプ、フィルターにＮＤ−１０を用い、感度５００、煽り角度０度において、入射角４５度で幅１ｍｍのスリットから入射光を評価対象物に対して照射したときに、該評価対象物により反射されて幅１．５ｍｍのスリットから放出された反射光について、反射角４５度で標準鏡面板の光沢度が４２．５となるように光源に印加する電圧を調整したとき、反射角度４２度から４８度の範囲で、相対値として測定される反射光強度各値のうちの最高値である、前記評価方法。
このようにして規定される正反射(限幅)光沢度に基づいた評価方法によれば、人の目視での光沢の感覚をより精度高く数値化できる。これにより、実際に人の目視による光沢感の評価と客観的な数値データとしての評価とのズレを一層解消できる。
【００１４】
前記写像性値は、光源に６Ｖ、０．３５Ａのスリットランプを使用し、フィルターなし、煽り角度０度において、入射角４５度で入射光を評価対象物に照射したときに、該評価対象物より反射角４５度で放出された光が移動する２ｍｍ幅の光学くしを通過した際の受光量のゆらぎを、下記式に導入して得られた値である、前記評価方法。  
（写像性値(％)）＝（受光量の最大値−受光量の最小値）／（受光量の最大値＋受光量の最小値）×１００  
このようにして規定される写像性値に基づいた評価方法によれば、人の目視での光沢の感覚をより精度高く数値化できる。これにより、実際に人の目視による光沢感の評価と客観的な数値データとしての評価とのズレを一層解消できる。
【００１５】
前記基準光沢度として、４２．５以上の数値を使用する、前記評価方法。  
この評価方法によれば、光沢感覚値の高い物質に対する指標値が得られる点で好ましい。この値を高く設定するほど有用である。
【００１６】
前記基準光沢度として、６０度の全幅光沢度の２分の１の値を使用する、前記評価方法。  
この評価方法によれば、光沢感覚値の高い物質に対する指標値としてより有用である点で好ましい。ここで、６０度の全幅光沢度とは、評価対象物に入射角６０度で入射光を照射したとき、他の方向での受光量を積算した値をいい、日本電工社製の光沢度計ＰＧ１Ｍ等により測定できる。
【００１７】
前記基準写像性値として、５０以上の数値を使用する、前記評価方法。  
この評価方法によれば、光沢感覚値の高い物質に対する指標値が得られる点で好ましい。この値を高く設定するほど有用である。
【００１８】
評価対象物が顔料インクでインクジェット記録した記録画像である場合に、下記式で得られる算出値を光沢感覚値として指標する光沢感の評価方法。
（光沢感覚値）＝[正反射(限幅)光沢度／６０]2×（写像性値／６０）
この評価方法によれば、顔料インクでインクジェット記録した記録画像に対して、人の目視での光沢の感覚を精度高く数値化できる。
【００１９】
評価対象物が染料インクでインクジェット記録した記録画像であるか又は銀塩写真である場合に、下記式で得られる算出値を光沢感覚値として指標する光沢感の評価方法。
（光沢感覚値）＝[正反射(限幅)光沢度／３０]2×（写像性値／６０）
この評価方法によれば、染料インクでインクジェット記録した記録画像又は銀塩写真に対して、人の目視での光沢の感覚を精度高く数値化できる。
【００２０】
正反射(限幅)光沢度と、全幅光沢度と、写像性値と、を測定する手段を少なくとも含む装置であって、下記式で得られる算出値を光沢感覚値として指標する光沢感の評価装置。
（光沢感覚値）＝[正反射(限幅)光沢度／基準光沢度]2×（写像性値／基準写像性値）
本評価装置によれば、人の目視による光沢感覚についての高精度な数値化を容易に達成できる。
【００２１】
前記評価方法又は前記評価装置を使用することにより、光沢感に優れる対象を識別するシステム。
本識別システムによれば、人の目視により高い光沢感と評価される物質を容易に識別することができる。
【発明を実施するための最良の形態】
【００２２】
以下、本発明に係る光沢感の評価方法につき好ましい実施形態に基づき詳細に説明する。
【００２３】
本発明の光沢感の評価方法は、既述の通り、下記式で得られる算出値を光沢感覚値として指標することを特徴とする。
（光沢感覚値）＝[正反射(限幅)光沢度／基準光沢度]2×（写像性値／基準写像性値）
【００２４】
ここで、正反射(限幅)光沢度は、既述の通り、規定された入射角で規定された開き角の光束を評価対象面に入射し、鏡面反射方向に反射する規定の開き角の光束を受光器で測定したときの、入射光に対する反射光の相対強度である。正反射(限幅)光沢度の好ましい態様としては、次に示す測定により得られる値である。
【００２５】
即ち、好ましい態様では、光源に１２Ｖ５０Ｗのハロゲンランプ、フィルターにＮＤ−１０を用い、感度５００、煽り角度０度において、入射角４５度で幅１ｍｍのスリットから入射光を評価対象物に対して照射したときに、該評価対象物により反射されて幅１．５ｍｍのスリットから放出された反射光について、反射角４５度で標準鏡面板の光沢度が４２．５となるように光源に印加する電圧を調整したとき、反射角度４２度から４８度の範囲で、相対値として測定される反射光強度各値のうちの最高値である。ここでいう標準板とは、屈折率１．５１９の黒色光学ガラスをいう。かかる光沢度は、図１に示すような測定方法によって測定される。尚、図１は、正反射(限幅)光沢度の測定法について説明するための概略図である。正反射(限幅)光沢度は、村上色彩技術研究所のＧＰ−２００型で、上記測定条件において得ることができる。
【００２６】
また、写像性値は、既述の通り、対象となる塗装面等に物体が映ったときの像が、どの程度鮮明にひずみなく映し出されるかの尺度であり、例えば、ＪＩＳ  Ｈ８６８６やＪＩＳ  Ｋ７１０５等で規定されている値である。写像性値の好ましい態様としては、次に示す測定により得られる値である。
【００２７】
即ち、好ましい態様では、図２に示すように、光源１に６Ｖ、０．３５Ａのスリットランプを使用し、該光源１からスリット及びレンズを介して、フィルターなし、煽り角度０度において、入射角４５度で導かれる入射光３を評価対象物２に照射したときに、該評価対象物２より反射角４５度で放出された光（反射光）４がレンズを介して、図中の矢印方向に移動する２ｍｍ幅の光学くし５を通過した際の受光器６が検知する受光量のゆらぎを、下記式に導入して得られた値である。
（写像性値(％)）＝（受光量の最大値−受光量の最小値）／（受光量の最大値＋受光量の最小値）×１００  
【００２８】
ここで受光器６が検知した受光量のゆらぎは、感度調整器７のつまみ等を操作して適宜感度を調整することで波形として記録計８に記憶され、これにより受光量の最大値及び最小値を導出できる。
【００２９】
尚、図２は、写像性値の測定法について説明するための概略図であって、郵政研究所月報２００３年１月号の第１９頁、図２２に記載の機器測定の装置例（写像性測定装置）を参考にしたものである。写像性値は、スガ試験機株式会社のＩＣＰ−ＩＴ型で、上記測定条件において得られた値を採用できる。
【００３０】
また、基準光沢度は、特に制限されることなく評価対象物の種類に応じて適宜所望の値を採用できるが、４２．５以上の数値を使用するのが好ましい。基準光沢度４２．５は、標準鏡面板の光沢度に相当する。また、基準光沢度として、６０度の全幅光沢度の２分の１の値も、好ましく使用される。
【００３１】
また、基準写像性値は、特に制限されることなく評価対象物の種類に応じて適宜所望の値を採用できるが、５０以上の数値を使用するのが好ましい。基準写像性値５０は、標準鏡面板の写像性値に相当する。
【００３２】
次に、本発明に係る光沢感の評価方法を適用するための評価対象物について詳述する。評価対象物としては、人の目視により光沢感を有すると認識できる対象物である限り特に制限されないが、例えば、顔料又は染料を含むインク組成物（顔料インク、染料インク）によりインクジェット記録した記録画像、該記録画像を含む記録物や、銀塩写真等が挙げられる。
【００３３】
評価対象物が顔料インクでインクジェット記録した記録画像である場合には、既述の通り、下記式で得られる算出値を光沢感覚値として指標することが好ましい。
（光沢感覚値）＝[正反射(限幅)光沢度／６０]2×（写像性値／６０）  
【００３４】
また、評価対象物が染料インクでインクジェット記録した記録画像であるか又は銀塩写真である場合には、既述のとおり、下記式で得られる算出値を光沢感覚値として指標することが好ましい。
（光沢感覚値）＝[正反射(限幅)光沢度／３０]2×（写像性値／６０）  
【００３５】
本発明においては、正反射(限幅)光沢度と、全幅光沢度と、写像性値と、を測定する手段を少なくとも含む装置であって、下記式で得られる算出値を光沢感覚値として指標する光沢感の評価装置を提供できる。
（光沢感覚値）＝[正反射(限幅)光沢度／基準光沢度]2×（写像性値／基準写像性値）
【００３６】
また、本発明においては、前述した評価方法又は評価装置を使用する、光沢感物質を識別するシステムを提供できる。
【００３７】
実施例
以下に、本発明の実施例及び試験例を挙げて、本発明をより具体的に説明するが、本発明は、かかる実施例により何等制限されるものではない。
【００３８】
（評価対象物の準備）
本発明に係る実施例の評価方法を適用するための評価対象物として、表１に示す出力物を準備した。
【００３９】
各写真のデータは、フォトショップ上で、黒ベタのＪＰＥＧ画像を近郊のデジタル・フォト・スタジオでプリントした出力物を用いた。
【００４０】
各プリンタのデータは、フォトショップ上で、黒ベタのＪＰＥＧ画像を各プリンタで最高画質・写真用紙＜光沢＞で写真用紙＜光沢＞（セイコーエプソン株式会社製）にプリント（図３Ａ参照）した出力物を用いた。
【００４１】
表１中の出力物の詳細は、次の通りである。
Ｇ８００      ：Ｇ８００（プリンタ）で染料インクにより写真用紙＜光沢＞に
インクジェットプリントした出力物
Ｇ９００      ：Ｇ９００（プリンタ）で顔料インクにより写真用紙＜光沢＞に
インクジェットプリントした出力物
４０００ＰＸ  ：４０００ＰＸ（プリンタ）で写真用紙＜光沢＞にプリントした出力物
銀塩写真１    ：ＫＯＤＡＫ  ＲＯＹＡＬ  ＰＡＰＥＲにプリントした出力物
銀塩写真２    ：ＦＵＪＩＦＩＬＭ  ＥＶＥＲ  ＢＥＡＵＴＹ  ＰＡＰＥＲ  ＦＯＲ
ＬＡＳＥＲにプリントした出力物
銀塩写真３    ：ＫＯＮＩＣＡ  ＤＥＧＩＴＡＬ  ＬＯＮＧ  ＬＩＦＥ  １００に
プリントした出力物  
【００４２】
（出力物の評価）
表１に示す出力物について以下の方法に従い、光沢度、写像性値、６０度全幅光沢度及び光沢感覚値を測定・評価した。表１には、各出力物に対する基準となる鏡面標準板の値を示してある。
【００４３】
光沢度〔正反射(限幅)光沢度〕:
村上色彩技術研究所の自動変角光度計（ＧＰ−２００型）を使用し、入射角４５度（スリット幅：入射側φ1ｍｍ、反射側φ１．５ｍｍ）、感度５００、煽り角度０度で、反射角４２度〜４８度の反射光強度を測定した。このとき、光源に１２Ｖ５０Ｗのハロゲンランプ、フィルターにＮＤ−１０を用い、標準板の光沢度が４２．５になるように、光源に印加する電圧を調整した。出力物の光沢度は、この測定条件下で測定される反射光強度各値のうちの最高値を言うものとする。なお、再現誤差は±２．０以下であった。
【００４４】
写像性値：
評価は、スガ試験機製の写像性測定器ＩＣＭ−１Ｔを用いて、標準鏡面板でゲイン調整をし、各出力物を２回測定した。入射光と反射光は共に４５度に設定した。
【００４５】
また、測定器の入射光と反射光の進行方向に対して、評価対象物が記録物の場合には、インクジェットヘッドの走査方向に直行するように、記録物をサンプルホルダーにセットした（図３Ｂ参照）。
【００４６】
図２に示す装置により受光量の強度を測定し、以下の式に基づいて写像性値を計算した。
（写像性値(％)）＝（受光量の最大値−受光量の最小値）／（受光量の最大値＋受光量の最小値）×１００  
【００４７】
光沢感覚値：
前記の光沢度及び写像性値の評価結果を用いて、下記式で得られる算出値を求めた。尚、基準光沢度は、６０度全副光沢度の２分の１とした。また、基準写像性値は、６０とした。
（光沢感覚値）＝[正反射(限幅)光沢度／基準光沢度]2×（写像性値／基準写像性値）
６０度全幅光沢度：
日本電工社製の光沢度計ＰＧ１Ｍを用いて測定した。
【００４８】
また、出力物の光沢性の目視判定を行った。この判定試験者は、無作為に抽出した２０代から４０代の５０名である。また、判定基準は、次の通りである。
【００４９】
評価環境は、サンプル（出力物）から２ｍ離れた天井に蛍光灯（National社製ＦＬＲ４０Ｓ−Ｗ/Ｍ−Ｘ）が設置されている室内であり、水平な机上にサンプルを置いた状態である。
【００５０】
光沢性の目視判定基準：
Ｓ：完全な鏡面と認識できるレベルの光沢性を感じる。
ＡＡ：光沢性を充分に感じる。
Ａ：光沢性が若干、不充分に感じる。
Ｂ：光沢性が不充分に感じる。
Ｃ：光沢性がないことがはっきりとわかる。
以上の評価結果を表１に示す。
【００５１】
【表１】
2005274340.tif 000003
【００５２】
表１の結果から明らかなように、本発明の評価方法では、光沢感覚値として人による光沢性の目視判定結果との間に相関関係（略一致）が得られ、人の目視での光沢の感覚を精度高く数値化できることが判る。これに対し、光沢度等に基づく評価方法では、人による光沢性の目視判定結果とは相関関係が必ずしも得られていない。
【産業上の利用可能性】
【００５３】
本発明は、人の目視での光沢の感覚を精度高く数値化する評価方法、人の目視による光沢感覚についての高精度な数値化を容易に達成できる評価装置、及び人の目視により高い光沢感と評価される物質を容易に識別することのできる光沢物質の識別システムとして、産業上の利用可能性を有する。
【図面の簡単な説明】
【００５４】
【図１】図１は、正反射(限幅)光沢度の測定法について説明するための概略図である。
【図２】図２は、写像性値の測定法について説明するための概略図である。
【図３】図３Ａは、本発明に係る評価方法の評価対象物の一例としての記録物を形成する様子を示す概略図であり、図３Ｂは、写像性値の評価に際しての記録物のセット方向を示す概略図である。
【符号の説明】
【００５５】
１…光源、２…評価対象物、３…入射光、４…反射角、５…光学くし、６…受光器、７…感度調整器、８…記録計
【図１】
2005274340.tif 000004
【図２】
2005274340.tif 000005
【図３】
2005274340.tif 000006